(57)【要約】【課題】光源にロウソクや電球を用いた芳香器では、使用者が不意に高温部に触れるという問題があった。【解決手段】上面に芳香材料を加熱する加熱体を具備する上枠ユニット１と、光源２２と、透明または半透明材料の支柱部１６と、前記支柱部１６の外側を囲う透明または半透明材料からなる外枠２９を上枠ユニット１と前記下枠ユニット３１に挟持することで、使用者が不意に高温部に触れることを防止するものである。【選択図】　図１
2004057548.tif 000002
【特許請求の範囲】
【請求項１】
上面に芳香材料を加熱する加熱体を具備する上枠ユニットと、光源と、透明または半透明材料からなり前記光源を囲う支柱を有する支柱部と、前記支柱部の外側を囲う透明または半透明材料からなる外枠と、前記外枠の底面側開口部を覆う下枠ユニットとを備え、前記外枠は、前記上枠ユニットと前記下枠ユニットに挟持されかつ前記下枠ユニットが前記支柱部に固定部材により固定されてなる芳香器。
【請求項２】
支柱部は外枠を固定する前に、上枠ユニットに係合により取り付けられる請求項１記載の芳香器。
【請求項３】
上枠ユニットは、上枠部と加熱体を有する加熱体ユニットより構成され、さらに、支柱部に設けた複数の取り付け面を有する腕部を前記加熱ユニットに設けた勘合穴部を通過させ回動することで係合させる請求項２記載の芳香器。
【請求項４】
上枠ユニットは上枠と加熱体を有し、支柱部は前記加熱体ユニットに係合された後、前記上枠に固定されることにより前記上枠ユニットから取り外し不可とした請求項１または２記載の芳香器。
【請求項５】
支柱部に設けた腕部取り付け面を分割し、前記分割された取り付け面の一方が下枠ユニットを支柱部に固定部材で固定する際にたわみやすくしてなる請求項３または４記載の芳香器。
【請求項６】
支柱部に設けた腕部の取り付け面は、加熱ユニットが配置される位置よりも外側に設けられた請求項２〜５のいずれか１項に記載の芳香器。
【請求項７】
支柱部に加熱部への通電を制御可能な操作部を有するスイッチを配置し、前記スイッチの操作部を操作するレバーと、前記レバーが付勢される第１の付勢部材を設置した下枠と下枠カバーとを備えたレバー摺動部を有する下枠ユニットを支柱部に取り付けた芳香器。
【請求項８】
レバー内に押し棒と、前記押し棒をスイッチ操作部方向に付勢する第２の付勢部材を有し、前記スイッチ操作部を操作するレバーを付勢する第１の付勢部材を有するとともに、前記第２の付勢部材は、スイッチ操作部が可動範囲限度に達した後、前記スイッチ操作部からの力を緩和してなる請求項７記載の芳香器。
【請求項９】
制御ユニットは、支柱部と下枠により保持されてなる請求項１〜８のいずれか１項に記載の芳香器。
【発明の詳細な説明】
【０００１】
【発明の属する技術分野】
本発明は、香りを発する被加熱材料を加熱する熱源と光を発する光源を備え、光源の光を演出する芳香器に関するものである。
【０００２】
【従来の技術】
従来、芳香器には香りを出す機能に加えて、光を演出するものが知られている。
【０００３】
【発明が解決しようとする課題】
しかし、このタイプには、光源にロウソクや電球を用いる為に、使用者が不意に高温部に触れてしまうという課題があった。また、光源の交換が必要あり、長時間の使用が出来ないという問題があった。特に、光源としてロウソクを用いたものでは電球の光より視覚的に好まれるものの長時間の使用では火事を引き起こす恐れが高いという課題があった。
【０００４】
本発明は、上記のような課題を解決するものであり、使用者が容易に高温部に触れることを防止することを目的としている。また光源の交換を不要とし、また光源が高温になることを防止すると共に、長時間快適で安心して光及び香りを楽しむことが出来る芳香器を提供することを目的とするものである。
【０００５】
【課題を解決するための手段】
本発明の芳香器は、上面に芳香材料を加熱する加熱体を具備する上枠ユニットと、光源と、透明または半透明材料からなり前記光源を囲う支柱を有する支柱部と、前記支柱部の外側を囲う透明または半透明材料からなる外枠と、前記外枠の底面側開口部を覆う下枠ユニットとを備え、前記外枠は、前記上枠ユニットと前記下枠ユニットに挟持されかつ前記下枠ユニットが前記支柱部に固定部材により固定されてなる芳香器とするものである。
【０００６】
【発明の実施の形態】
請求項１に記載の発明は、上面に芳香材料を加熱する加熱体を具備する上枠ユニットと、光源と、透明または半透明材料からなり前記光源を囲う支柱を有する支柱部と、前記支柱部の外側を囲う透明または半透明材料からなる外枠と、前記外枠の底面側開口部を覆う下枠ユニットとを備え、前記外枠は、前記上枠ユニットと前記下枠ユニットに挟持されかつ前記下枠ユニットが前記支柱部に固定部材により固定することで、芳香材料を加熱する部分以外を囲うことが可能となり、使用者が不意に熱源に触れることを防止することができる。
【０００７】
また、加熱体への通電を光源の発光により通知すると同時に光による演出を行うことで、長期間快適で安心して使用できる芳香器を提供することができる。
【０００８】
請求項２に記載の発明は、特に請求項１記載の発明において、外枠を固定する前に、支柱部を上枠ユニットに係合することで取り付けることにより支柱部を固定する部材を削減することできると共に、外枠から見える芳香器の内部の凹凸を減らすことで、外枠内壁に発生する影の発生を少なくすることができる。
【０００９】
請求項３に記載の発明は、特に請求項２記載の発明において、上枠ユニットを、上枠部と加熱体を有する加熱体ユニットより構成し、さらに、支柱部に設けた複数の取り付け面を有する腕部を前記加熱ユニットに設けた勘合穴部を通過させ回動することで係合させる構成することで、組み立て構成の簡略化を図ることができる。
【００１０】
請求項４に記載の発明は、特に請求項１または２記載の発明において、上枠ユニットは上枠と加熱体を有し、支柱部は前記加熱体ユニットに係合された後、前記上枠に固定されることにより前記上枠ユニットから取り外し不可とすることにより、組み立て性を向上させることができる。
【００１１】
請求項５に記載の発明は、特に請求項３または４記載の発明において、支柱部に設けた腕部取り付け面を分割し、前記分割された取り付け面の一方が下枠ユニットを支柱部に固定部材で固定する際にたわみやすくすることにより、確実に外枠を保持することができる。
【００１２】
請求項６に記載の発明は、特に請求項２〜５のいずれか１項に記載の発明において、支柱部に設けた腕部の取り付け面は、加熱ユニットが配置される位置よりも外側に設けることにより、支柱部が加熱ユニットの温度上昇の影響を受けにくくすることができる。
【００１３】
請求項７に記載の発明は、支柱部に加熱部への通電を制御可能な操作部を有するスイッチを配置し、このスイッチの操作部を操作するレバーと、前記レバーが付勢される付勢部材を設置した下枠と下枠カバーとを備えたレバー摺動部を有する下枠ユニットを支柱部に取り付けることにより、本体が転倒したときに加熱部への通電の遮断を確実に行うことができる。
【００１４】
請求項８に記載の発明は、特に請求項７記載の発明において、レバー内に押し棒と、前記押し棒をスイッチ操作部方向に付勢する第２の付勢部材を有し、前記スイッチ操作部を操作するレバー付勢する第１の付勢部材を有するとともに前記第２の付勢部材は、スイッチ操作部が可動範囲限度に達した後、前記スイッチ操作部からの力を緩和させることにより、レバーが通常操作範囲を超えて可動させてもスイッチ本体に過負荷を与えないようにすることができる。
【００１５】
請求項９に記載の発明は、特に請求項１〜８のいずれか１項に記載の発明において、制御ユニットは、支柱部と下枠により保持することにより、部品数を増加させることなく確実に制御ユニットを保持することができる。
【００１６】
【実施例】
以下本発明の実施例について図１〜図１０を参照して説明する。図１は本発明の芳香器の主要断面図である。１は上枠ユニットで上枠２と加熱体ユニット３により形成されている。図２は加熱体ユニット３の詳細断面図であり、図３は同加熱体ユニットの下面図である。また図４は上枠ユニットの上方拡大詳細断面図である。加熱体ユニット３は加熱体枠４に設けた溝５にはめ込まれるパッキン６を介在して配置される加熱板７上に、上放熱板８と下放熱板９に挟み込んだ加熱体１０が配置されている。前記加熱体１０は前記加熱体枠４に係合して取り付けられている加熱体カバー１２によって付勢される付勢体１１により前記下放熱板９を前記加熱板７側に押しつけることで固定されている。
【００１７】
また、前記加熱板７と上放熱板８間と、上放熱板８間と加熱体１０間には、熱拡散材１３が塗布されている。図５は加熱体ユニットの組み立て途中の下面図に示すように、上放熱板８、下放熱板９、加熱体１０は、加熱体枠４に備えられたボス７０で回転方向を位置決めされた加熱体金具１４によって取り付け位置を規制される。加熱板７の外周下方部には、加熱体金具１４を介して前記パッキン６の圧縮代以下の隙間Ｘを介して、前記加熱体カバー１２の上開口部１５が位置するように設定されている。尚、加熱体カバー１２は加熱体枠４に回転させることで係合している。
【００１８】
前記加熱体枠４のコーナー部には、支柱部１６上方に設けた４本の腕部１７に先端の取り付け面１８に対応した勘合穴部１９を配置している。
【００１９】
図６に支柱部１６の上枠ユニット１への取り付け状態を示す部分斜視図を示す。加熱体カバー１２と支柱部１６は前記取り付け面１８を前記勘合穴部１９に通過させた後回動することで、上枠ユニット１に係合されている。また前記取り付け面１８は２つに分割されており、前記分割されている一方の取り付け面１８ａが係合される加熱体枠４には、突起部２０を配置している。１８ｂは分割された取り付け面１８の他方であり、支柱部１６を下方向に引っ張り加重を加えると、図７に示す様に、取り付け面１８ｂが係合される加熱体枠４の係合部４９に当設されると、取り付け面１８ａ側には突起部２０の高さに応じた反力を生じた状態で固定されることになる。
【００２０】
また本実施例では、支柱部１６を加熱体ユニット３の加熱体枠４に係合された後、上枠２にネジ４７固定すると、支柱部１６の回動をできなくなるな位置設けた回動ストッパー２４により、前記上枠ユニットから取り外しできない構成としている。
【００２１】
支柱部１６は、制御ユニット２１によって点滅を制御されるＬＥＤ等の光源２２を囲う透明または半透明材料の支柱２３と、前記制御ユニット２１を収納可能な制御ユニットの収納部２５より構成されている。また、２７はネジ等の固定部材２６を取り付けるボスである。本実施例では、光源を覆う光源カバー２８も支柱部１６に一体に構成されている。
【００２２】
２９は支柱部１６の外側を囲う透明または半透明材料からなる外枠で内面に微細な凹凸加工がなされている。外枠２９の上方の上渕部３２は上枠ユニット１と部分的に接触されることで、上開口穴３０を形成する。また、前記外枠２９の底面側開口部を覆う下枠ユニット３１が、下方の下渕部３３に配置されている。
【００２３】
下枠ユニット３１は、下枠３４と下枠カバー３５により構成されておりこの内部には前記制御ユニット２１上に搭載されたスイッチ３６のスイッチ操作部３７を操作するレバー３８が摺動するレバー摺動部３９が構成されている。レバー３８は第１の付勢部材６８により、前記スイッチ操作部３７を解放しスイッチ３６を「開」の状態にし、加熱体１０への通電を遮断する側に付勢されている。
【００２４】
また、レバー３８の内部には、押し棒４０をスイッチ操作部方向に付勢する前記第２の付勢部材６９が収納されている。４１は押し棒４０をレバー３８に固定するＥリングである。４２はレバー摺動部３９内に設けられたレバーストッパーである。
【００２５】
固定部材２６は下枠３４の貫通穴Ａ４３と下枠カバー３５の貫通穴Ｂ４４を通過させ支柱部１６のボス２７に固定される。このとき前記ボス２７の上面４５と下枠３４の貫通穴Ａ４３の端面４６は固定部材２６を取り付け前は隙間を設けているが取り付け完了後はボス２７の上面４５と下枠３４の貫通穴Ａ４３の端面４６を密着させることで、支柱部１６の上枠ユニット１に係合されている取り付け面１８ａが突起部２０によりたわむことで外枠２９を上枠ユニット１と下枠ユニット３１で挟み込む方向に力が増加するために確実に外枠２９を固定することが可能となる。
【００２６】
図８は本実施例の回路図である。図８において５０は交流電源、５１は直流電源である。加熱体１０は、交流電源５０と直列に接続されたリレー５２のリレー接点５２ａとこのリレー接点５２ａの制御を行うリレーコイル５２ｂで構成され、このリレーコイル５２ｂに電流を流し、前記リレー接点５２ａを閉じるようになっている。通電スイッチ５３はリレー５２を作動するためのスイッチ５３ａを押すことで前記リレー接点５２ａの開閉を行うことが出きる。２２は複数個ＬＥＤを用いた光源である。５４はマイクロコンピューター（以下マイコンと省略する）で前記ＬＥＤを特定の周期を持って発光させるプログラムを実行する。スイッチ３６は、レバー３８に設けた押し棒４０により通常時は接点を「閉」としている。尚加熱体１０は自己温度調整機能を有するＰＴＣヒータを使用している。２１は制御ユニットを示している。
【００２７】
前記制御ユニット２１は、その収納部２５に設けた制御ユニット保持用リブ６０と、下枠３４の貫通穴Ａ４３の近接した制御ユニット２１保持用ボス６１により上下により挟み込むことで保持されている。このときリブ６０と保持ボス６１で形成されている隙間Ｙは前記制御ユニット２６の基台６２の厚さＺよりも大きく設定されているため、組み立て時にボス２７の上面４５と下枠３４の貫通穴Ａ４３の端面４６を密着させることを阻害しないようになっている。６３は下枠に設けた孔部である。６４は加熱板７上に置かれる容器である。また、制御ユニット２１は下枠ユニット３１が支柱部１６に取り付けられたとき、同時に保持できる構成になっている。
【００２８】
６５は容器６４にお茶の葉を投入した後加熱体１０を発熱させているときに容易に容器６４に触れにくくするための上部に複数の開口孔ａ６６を有する蓋である。下枠３４の最下部にも開口孔ｂを配置させている。６７は本発明の芳香器が置かれている設置面である。
図９は本発明の芳香器が転倒したときの状態を示した図、図１０は凹凸のある設置面に置かれた状態を示した図である。
【００２９】
以上の構成において、動作を説明する。容器６４に芳香材料であるお茶の葉を投入し、蓋６５をセットした後に電源スイッチ５３を操作すると加熱体１０が発熱を開始すると同時に光源２２の発光が行われる、このとき光源２２の発光具合は、透明部材である光源カバー２８、支柱２３、外枠２９を介して外部より見ることができる。加熱体１０が発熱して容器６４を過熱する際には、加熱体ユニット３が発熱する。前記加熱体ユニット３は側方を外枠２９、上を上枠２で覆っているため、通電中は、使用者は容易に触れることの出来ないようになっている。また、支柱部１６の上枠ユニットの取り付けは、加熱ユニット３の離れた位置に係合されているため、加熱ユニット１０の熱の影響を受けにくくなっている。したがって支柱部１６の腕部は、熱による経時変化を受けにくい。また、支柱部１０は、前記上枠ユニット１に回動させて係合するため、取り付けられているため外枠２９内での形状を容易にし、その結果光源２２の発光による外枠２９への影の映りを低減させることができる。
【００３０】
通電中、加熱体ユニット３により高温になる外枠２９内部は、下枠３４の開口孔ｂから取り込まれる空気が上開口部１５をへて蓋６５の開口孔ａ６６より排出することで、外枠２９の熱の伝導による温度上昇を防止することができる。
【００３１】
加熱体１０による発熱は、スイッチ５３を操作するもしくは、マイコンによる所定時間経過が過ぎるまで継続される。よってこの間芳香材料の香りと、光源２２の光を安心して使用することができる。
【００３２】
使用中に芳香器が不意に転倒した場合は、図９に示すようにレバー３８が第１の付勢部材６８により、スイッチ操作部３７を解放しスイッチ３６を「開」の状態にし、加熱体１０の通電をと止める安全装置となっている。
【００３３】
レバー３８の可動範囲は、下枠３４と下枠カバー３５により構成されるレバー摺動部３９により規制されているが、レバー３８がレバーストッパー４２により押し込みを制限されたときには、レバー３８の内部の押し棒４０が、第２の付勢部材６９の作用により、スイッチ３６及び制御ユニット２１の基材６２に過負荷を与えないようにすることができる。
【００３４】
図１０は凹凸のある設置面に本発明の芳香器が置いたときにレバー３８がレバーストッパー４２により押し込みを制限された状態であるが、本状態においても、レバー３８の内部の押し棒４０が、第２の付勢部材６９の作用により、スイッチ３６及び制御ユニット２１の基材６２に過負荷を与えないようにするため通常通りの使用が可能となる。
【００３５】
【発明の効果】
以上のように、本発明によれば、加熱体を外枠で覆うことにより、芳香材料を加熱する部分のみを発熱させることが可能となり、使用者が不意に熱源に触れることを防止することが可能となる。また、加熱体への通電を光源の発光により通知すると同時に光による演出を行うことで、長期間快適で安心して使用できる芳香器を提供することができる。
【図面の簡単な説明】
【図１】本発明の芳香器の主要断面図
【図２】同芳香器の加熱体ユニット詳細断面図
【図３】同芳香器の加熱体ユニット詳細断面図
【図４】上枠ユニットの上方拡大詳細断面図
【図５】加熱体ユニットの組み立て途中の下面図
【図６】支柱部の上枠ユニットへの取り付け状態を示す部分斜視図
【図７】支柱部の上枠ユニットへの取り付け状態示す部分断面図
【図８】本実施例の回路図
【図９】本発明の芳香器が転倒したときの状態を示した図
【図１０】凹凸のある設置面に本発明の芳香器を設置した図
【符号の説明】
１　上枠ユニット
２　上枠
３　加熱体ユニット
１０　加熱体
１６　支柱部
１７　腕部
１８　取り付け面
１９　勘合穴部
２１　制御ユニット
２２　光源
２３　支柱
２４　回動ストッパ
２６　固定部材
２９　外枠
３１　下枠ユニット
３４　下枠
３５　下枠カバー
３６　スイッチ
３７　スイッチ操作部
３８　レバー
３９　レバー摺動部
４０　押し棒
６８　第１の付勢部材
６９　第２の付勢部材
【図１】
2004057548.tif 000003
【図２】
2004057548.tif 000004
【図３】
2004057548.tif 000005
【図４】
2004057548.tif 000006
【図５】
2004057548.tif 000007
【図６】
2004057548.tif 000008
【図７】
2004057548.tif 000009
【図８】
2004057548.tif 000010
【図９】
2004057548.tif 000011
【図１０】
2004057548.tif 000012